(57)【要約】      （修正有）【課題】投薬器の大型化を招くことなく、薬粉の排出路との接触により薬粉を効率的に微粉化できる吸引式投薬器を提供する。【解決手段】カプセルCの収納室Rcを有するブロック体110と、このブロック体110が装填される筒状部121を有しカプセルCの破壊手段Dが設けられたボディ120と、破壊されたカプセルCの薬粉を吸引するマウスピース130とを備えた吸引式投薬器100であって、ブロック体110の外周面に、薬粉を排出する排出路の一部であり、迂回路4を形成する迂回溝を備える。ブロック体110の内部には、薬粉を取り出すための主路1と、主路1を複数に分岐させるための分岐部2と、複数の分流路3とを有し、更に、その先端側部位の内部には、薬粉を衝突させてブロック体110の側に折り返させる折り返し面5aと、折り返し面5aで折り返した薬粉を衝突させてマウスピース130の側に折り返させ吸込み口131に向かって導く折り返し面5bとを有する第二の迂回路5を備える。【選択図】図２
2008295687.tif 000002
【特許請求の範囲】
【請求項１】
薬粉を充填したカプセルを収納する収納室を有するブロック体と、このブロック体が装填される筒状部を有し収納室内のカプセルを破壊する破壊手段が設けられたボディと、このボディの筒状部先端に固定され収納室内で破壊されたカプセルの薬粉を吸引するためのマウスピースとを備えた吸引式投薬器であって、
ブロック体の外周面に、薬粉を排出するための排出路の一部であって、前記筒状部の中心軸線方向に対して迂回する迂回路を形成する少なくとも１つの迂回溝を備えることを特徴とする吸引式投薬器。
【請求項２】
ブロック体の周りに間隔を空けて複数の迂回溝を配置すると共に、このブロック体の内部に、薬粉を排出するための排出路の一部であって、収納室から薬粉を取り出すための主路と、この主路を複数に分岐させるための分岐部と、この分岐部から各々の迂回溝に薬粉を導く複数の分流路とを形成してなる請求項１に記載の吸引式投薬器。
【請求項３】
分岐部が、主路及び分流路よりも内径の大きな空間としてなる請求項２に記載の吸引式投薬器。
【請求項４】
ブロック体は、マウスピースと繋がる先端側部位の内部に、薬粉を排出するための排出路の一部であって、迂回溝を通り抜けた薬粉を前記筒状部の中心軸線方向に直交する方向に対して更に迂回させるように導く他の迂回路を備え、
この他の迂回路は、迂回溝からの薬粉を衝突させてブロック体の側に折り返させる第一の折り返し面と、この第一の折り返し面で折り返した薬粉を衝突させてマウスピースの側に折り返させると共に吸込み口に向かって導く第二の折り返し面とを有する請求項１乃至３のいずれか一項に記載の吸引式投薬器。
【請求項５】
他の迂回路を、ブロック体の内部をその軸線周りの全周に亘って形成された空間として構成した請求項４に記載の吸引式投薬器。
【請求項６】
迂回溝の出側が、前記中心軸線方向に沿って薬粉を通り抜けさせる案内形状をしてなる請求項１乃至５のいずれか一項に記載の吸引式投薬器。
【発明の詳細な説明】
【技術分野】
【０００１】
本発明は、患者自らがカプセルを破壊してこの破壊されたカプセルの薬粉を吸引することができる吸引式投薬器であって、患者が薬剤を吸引するまでの間に、この薬剤を効率的に微粒化させるための技術に関するものである。
【背景技術】
【０００２】
従来の吸引式投薬器には、例えば、カプセルの収納室から複数の排出路を分岐させると共に、これらの排出路をそれぞれ、下流側に配置した拡散室に繋げて薬粉を拡散させると共に、この拡散室に旋回流を生じさせることにより、この拡散室に供給された薬粉を更に拡散させて微粒化を図るものがある（例えば、特許文献１参照。）。
【特許文献１】特許第３５３０００４号公報（第３頁［００２８］）
【発明の開示】
【発明が解決しようとする課題】
【０００３】
しかしながら、本願発明者は、試験・研究の結果、薬粉の微粒化が旋回流による拡散のみで達成されるものではなく、排出路との接触によっても達成されることを認識するに至った。即ち、本願発明者は、投薬器内に設けられた排出路を利用すれば、薬粉を更に効率的に微粒化できることを見出した。
【０００４】
そこで、本願発明者は、投薬器内に設けられた排出路を可能な限り延長すれば、薬粉を更に効率的に微粒化できると考えたが、こうした吸引式投薬器は、いつでも使用可能なように携帯性が重視されるため、排出路の延長に伴う大型化が困難である。
【０００５】
本発明の解決すべき課題は、排出路の延長により微粒化を図ろうとすると、投薬器の大型化を伴い携帯性が損なわれることにあり、
本発明の目的とするところは、投薬器の大型化を招くことなく、排出路との接触により薬粉を効率的に微粉化できる吸引式投薬器を提供することにある。
【課題を解決するための手段】
【０００６】
本発明は、薬粉を充填したカプセルを収納する収納室を有するブロック体と、このブロック体が装填される筒状部を有し収納室内のカプセルを破壊する破壊手段が設けられたボディと、このボディの筒状部先端に固定され収納室内で破壊されたカプセルの薬粉を吸引するためのマウスピースとを備えた吸引式投薬器であって、ブロック体の外周面に、薬粉を排出するための排出路の一部であって、前記筒状部の中心軸線方向に対して迂回する迂回路を形成する少なくとも１つの迂回溝を備えることを特徴とするものである。
【０００７】
本発明に係る迂回溝には、様々な形態のものを採用することが可能で、例えば、下流側に向かうに従って外周面の周方向に沿って傾斜する形態のものや蛇行する形態のもの等が挙げられる。
【０００８】
また、本発明によれば、ブロック体の周りに間隔を空けて複数の迂回溝を配置すると共に、このブロック体の内部に、薬粉を排出するための排出路の一部であって、収納室から薬粉を取り出すための主路と、この主路を複数に分岐させるための分岐部と、この分岐部から各々の迂回溝に薬粉を導く複数の分流路とを形成してなることが好ましい。
【０００９】
この場合、分岐部が、主路及び分流路よりも内径の大きな空間としてなることが好ましい。
【００１０】
ブロック体は、マウスピースと繋がる先端側部位に、薬粉を排出するための排出路の一部であって、迂回溝を通り抜けた薬粉を前記筒状部の中心軸線方向に直交する方向に対して更に迂回させるように導く他の迂回路を備え、
この他の迂回路は、迂回溝からの薬粉を衝突させてブロック体の側に折り返させる第一の折り返し面と、この第一の折り返し面で折り返した薬粉を衝突させてマウスピースの側に折り返させると共に吸込み口に向かって導く第二の折り返し面とを有することが好ましい。
【００１１】
また、本発明によれば、他の迂回路を、ブロック体の内部をその軸線周りの全周に亘って形成された空間として構成することが好ましい。
【００１２】
加えて、本発明によれば、迂回溝の出側を、前記筒状部の中心軸線方向に沿って薬粉を通り抜けさせる案内形状とすることができる。
【発明の効果】
【００１３】
本発明によれば、薬粉を排出するための排出路の一部であって、前記筒状部の中心軸線方向に対して迂回するように延在する迂回溝を設けたことで、この迂回分だけ、薬粉が排出路と接触する時間を長く確保することができる。即ち、迂回溝の迂回分だけ、薬粉を排出路に対して余分に長く接触させることで、当該薬粉を効率的に微粒化させることができる。
【００１４】
しかも、その迂回溝は、ブロック体の内部ではなく、ブロック体の外周面に設けられるため、ブロック体の大きさを変更することなく、排出路を効率的に延長することができる。即ち、迂回溝をブロック体の外周面に設けたことで排出路が延長されても、吸引式投薬器が大型化することはない。
【００１５】
従って、本発明である吸引式投薬器によれば、排出路長さを延長しても、投薬器の大型化を招くことなく、排出路との接触により薬粉を効率的に微粉化させることができる。
【００１６】
また、本発明において、ブロック体の周りに間隔を空けて複数の迂回溝を配置すると共に、このブロック体の内部に、薬粉を排出するための排出路の一部であって、収納室から薬粉を取り出すための主路と、この主路を複数に分岐させるための分岐部と、この分岐部から各々の迂回溝に薬粉を導く複数の分流路とを形成すれば、この分流路が排出路の一部となると共に、主路からの薬粉の流れが分岐部で変わることに伴い、この分岐部での薬粉の接触により、微粒化を更に効率的に実現することができる。
【００１７】
この場合、分岐部が、主路及び分流路よりも内径の大きな空間としてなれば、分岐部での分散が可能となることから、微粒化を更に効率的に実現することができる。
【００１８】
更に、本発明によれば、マウスピースと繋がるブロック体の先端側部位の内部に、薬粉を排出するための排出路の一部であって、迂回溝を通り抜けた薬粉を筒状部の中心軸線方向に対して更に迂回させるように導く他の迂回路を形成すれば、この迂回分だけ、薬粉が排出路と接触する時間を更に長く確保することができる。即ち、かかる他の迂回路の迂回分だけ、薬粉を排出路に対して余分に長く接触させることで、当該薬粉を更に効率的に微粒化させることができる。
【００１９】
加えて、この場合、他の迂回路は、迂回溝からの薬粉を衝突させてブロック体の側に折り返させる第一の折り返し面と、この第一の折り返し面で折り返した薬粉を衝突させてマウスピースの側に折り返させると共に吸込み口に向かって導く第二の折り返し面とを有することで、排出路が延長されたことに起因する大型化はない。即ち、新たな迂回路をブロック体の先端側部位に設けたことで排出路が延長されても、吸引式投薬器が大型化することはない。
【００２０】
従って、かかる構成によれば、ブロック体の先端側部位の内部に他の迂回路を形成しても、投薬器の大型化を招くことなく、排出路との接触により薬粉を更に効率的に微粉化させることができる。
【００２１】
また、本発明によれば、他の迂回路を、ブロック体の内部をその軸線周りの全周に亘って形成された空間として構成すれば、薬粉を分散させて、微粒化を促進させることができる。従って、かかる構成によれば、薬粉を更に分散させて微粒化を図ることができる。
【００２２】
加えて、本発明によれば、迂回溝の出側を、前記筒状部の中心軸線方向に沿って薬粉を通り抜けさせる案内形状とすることができる。この場合、薬粉の流れが迂回溝の出側で変わることに伴い、この迂回路の出側での薬粉の接触により、微粒化を更に効率的に実現することができる。
【発明を実施するための最良の形態】
【００２３】
以下、図面を参照して、本発明の好適な形態を詳細に説明する。
【００２４】
図１は、本発明の第一の形態である横向き装填タイプの吸引式投薬器（以下、「投薬器」という。）100の側面図であり、図２は、その断面図である。また、図３は、同形態の分解図である。更に、図４は、カプセル装填時の状態を示す断面図である。
【００２５】
図２において、符号110は、薬粉を充填したカプセルＣを収納する収納室Rcを有する円柱形状のブロック体である。
【００２６】
符号120は、ブロック体110が装填される筒状部121を有し収納室Rc内のカプセルＣを破壊する破壊手段Ｄが設けられたボディである。
【００２７】
符号130は、ボディ120の筒状部121先端に固定され収納室Rc内で破壊されたカプセルＣの薬粉を吸引するための吸込み孔131を有するマウスピースである。
【００２８】
本形態に係るブロック体110は、４つのパーツで構成される。
【００２９】
第一のパーツは、符号111で示すコアパーツである。コアパーツ111は、その内部に、カプセルＣを横向きにした状態で収納可能な収納室Rcを有する。収納室Rcの底部には更に、下向きに窪んでカプセルから取り出された薬粉を受ける凹部Ｈが形成されている。
【００３０】
また、コアパーツ111には、収納室Rcを上下に貫く２本の貫通孔ｎが形成されている。そのうち、収納室Rc上側の貫通孔ｎはそれぞれ、横向きに延在する外気導入路naにより互いを連通させている。
【００３１】
外気導入路naと収納室Rcとはそれぞれ、同じ向きに開口を有し、これらの開口はそれぞれ、コアパーツ111に対して枢軸Ｐを基点に回動可能な蓋体111aによって開閉される。なお、蓋体111aの回動は、枢軸Ｐに代えてヒンジで行うことも可能である。
【００３２】
また、蓋体111aは、マウスピース130での吸引時にブロック体110内、即ち、外気導入路naへの外気の導入を許容する逆止弁111bを有する。
【００３３】
更に、蓋体111aは、図１に示すように、その両側に、係止片111dをボディ120の筒状部121に着脱可能に保持させるための操作片111cが設けられている。操作片111cは、その先端に係止片（爪部）111dが設けられており、この爪部111dを、ボディ120の筒状部121に設けた開口で係止することで蓋体111ａを閉じた状態に保持する。
【００３４】
これに対し、収納室Rc下側の貫通孔ｎはそれぞれ、横向きに延在する薬粉堆積室R1により互いを連通させている。そして、外気導入路naと薬粉堆積室R1とはそれぞれ、互いに対向する向きに開口を有する。
【００３５】
第二のパーツは、符号112で示すアッパーパーツである。アッパーパーツ112は、薬粉堆積室R1の開口側からコアパーツ111に連結され、薬粉堆積室R1の薬粉を排出するための排出路の一部であって、収納室Rcから薬粉を取り出すための主路１と、この主路１を複数に分岐させるための分岐部２とを形作るための形状1a,2aを有する（図４参照。）。
【００３６】
第三のパーツは、符号113で示すミドルパーツである。ミドルパーツ113は、主路１及び分岐部２を形作るための形状1b,2bを有し、アッパーパーツ112との連結により、アッパーパーツ112との間に主路１及び分岐部２を形成する。
【００３７】
ここで、図５(a)〜(d)はそれぞれ、ミドルパーツ113を下側から示した平面図、背面図、側面図及び斜視図である。
【００３８】
ミドルパーツ113の内部には、当該ミドルパーツ113の外周面に開口3aを有し、分岐部２から、この開口3aに薬粉を導く２つの分流路３が形成されている。また、本形態では、図に示すように、分岐部２が主路１及び分流路３よりも内径の大きな分流室としてなる。
【００３９】
ミドルパーツ113は、更に、その外周面に、当該外周面に形成された開口3aに通じ、薬粉を排出するための排出路の一部であって、筒状部121の中心軸線Ｏ方向に対して迂回する迂回路（以下、「第一迂回路」という）４を形成するための２つの迂回溝113aを備える。なお、迂回溝113aは、同一径で構成されてもよいし、マウスピース側に向かって拡径する構造や縮径する構造などを採用することもできる。また、第一迂回路４の形状を詳述すると、ブロック体110の外周面に沿って周回しつつ、マウスピース130側に向かって螺旋状に伸長された迂回溝113aによって迂回路が形成されている。
【００４０】
本形態に係る迂回溝113aは、下流側に向かうに従って、即ち、アッパーパーツ112との連結部から遠ざかるに従って、ミドルパーツ113の外周面の周方向に沿って傾斜するように形成されている。
【００４１】
第四のパーツは、符号114で示すロアパーツである。ロアパーツ114は、図１に示すように、ミドルパーツ113とマウスピース130とを繋ぐパーツである。
【００４２】
ロアパーツ114は、ミドルパーツ113の先端側部位を、その内部に嵌合させる外筒部114aを有し、この外筒部114aがミドルパーツ113との連結により、ミドルパーツ113との間に第一迂回路４を形成する。
【００４３】
更に、ロアパーツ114は、ミドルパーツ113との相互間に、薬粉を排出するための排出路の一部であって、迂回溝113aを通り抜けた薬粉を軸線Ｏと直交する径方向に沿った道のりに対して迂回させるように導く他の迂回路（以下、「第二迂回路」という。）５を形成する。
【００４４】
第二迂回路５は、ロアパーツ114の背面を形成し、迂回溝131aからの薬粉を衝突させてブロック体１の側に折り返させる第一の折り返し面5aと、ミドルパーツ113の先端面を形成し、この第一の折り返し面5aで折り返した薬粉を衝突させてマウスピース130の側に折り返させると共にその吸込み口131に向かって導く第二の折り返し面5bとを有する。
【００４５】
更に、本形態の第一の折り返し面5aは、ロアパーツ114の背面側に形成された環状の凹部からなり、この折り返し面5aに取り囲まれた隆起部114cにマウスピース130の吸込み口131に通じる吸込み口導入孔（以下、「導入孔」という。）６が形成されている。導入孔６は、その入側の部分が上流側に向かって拡径する傾斜面6aを構成する。
【００４６】
また、本形態の第二の折り返し面5bは、ミドルパーツ113の先端面側に形成された環状の凹部からなり、この折り返し面5bに取り囲まれた隆起部113bが、導入孔６の傾斜面6aに入り込んで導入孔６への案内となっている。
【００４７】
即ち、本形態の第二迂回路５は、ブロック体１の内部をその全周に亘って形成された空間として構成されている。かかる構成によれば、薬粉を更に分散させて微粒化を図る分散室としても機能するので、微粒化を促進させることができる。
【００４８】
特に、本形態では、第一迂回路４が軸線Ｏに対して迂回しているので、この第一迂回路４から空間内に取り出された薬粉が第二迂回路５内で旋回流を生じさせ、微粒化を更に促進させることができる。
【００４９】
本形態に係る破壊手段Ｄは、ブロック体１の収納室Rcに配置されたカプセルＣに孔を開ける穿孔手段（以下、「穿孔手段Ｄ」という。）としてなる。
【００５０】
穿孔手段Ｄは、ボディ120と一体又は別体に構成されると共に、その上端部に開口を有する筒部D1と、この筒部D1の内側にスプリングＳのような弾性部材にてスライド可能に支持され、上端部の開口からキャップD2により抜け出し不能に露出する押しボタンD3と、この押しボタンD3の上部内側に嵌合保持され、この押しボタンD3の押圧にて、ボディ120に形成された貫通孔121aとコアパーツ111に形成された貫通孔ｎとを通して収納室Rcに先端部分を導入してカプセルＣの穿孔を行うピンD4からなる。
【００５１】
投薬器100は、以下のような操作を経ることで、患者への投薬を可能にする。
【００５２】
先ずカプセルＣを収納室Rcに配置するには、図４に示すように、蓋体111aを枢軸Ｐを基点に回動させることにより、収納室Rcを開ければよく、これにより、カプセルＣを収納室Rc内に簡単に装填することができる。
【００５３】
次いで、投薬器100により、収納室Rc内に配置したカプセルＣ内の薬粉を吸引するには先ず、押しボタンD3を押し込む。すると、押しボタンD3に繋がるピンD4がスプリングSの弾性力に抗して収納室Rcに導入され、その先端部分でカプセルＣに孔を開けることになる。
【００５４】
その後、押しボタンD3から手を離すと、スプリングSの弾性力で押しボタンD3と共にピンD4が押し込み前の位置に復帰する。すると、カプセルＣに孔が開いたことでカプセルＣ内の薬粉は、収納室Rcと貫通孔ｎを通して薬粉堆積室R1に導入可能となる。
【００５５】
その後、マウスピース130を咥え込んで吸気すると、逆止弁111bを通って外気が収納室Rc及び薬粉堆積室R1内へと流入し、カプセルＣ内の薬粉と混合され、薬粉が主路１に沿って分岐部２に向かって上昇する。このように、主路１が分岐部２に向かって傾斜するように形成されれば、主路１との接触により、薬粉を効率的に微粒化できる。
【００５６】
次いで、分岐部２では、主路１からの薬粉が分岐部２を基点に分流されることにより、主路１からの薬粉の流れが分岐部２で変わることに伴い、この分岐部２での接触により、薬粉を効率的に微粒化できる。
【００５７】
分岐部２を基点に分流された薬粉は、各分流路３に沿って迂回路４に向かって上昇又は下降する。このように、主路１が分岐部２に向かって傾斜するように形成されれば、分流路３との接触でも、薬粉を効率的に微粒化できる。
【００５８】
更に、第一迂回路４を通る薬粉は、第一迂回路４が軸線Ｏに沿った道のりに対して迂回するように延在するため、この迂回する長さだけ、排出路と接触する時間が長くなる。即ち、第一迂回路４で迂回した分だけ、薬粉を排出路に対して余分に長く接触させることで、当該薬粉を更に効率的に微粒化させることができる。
【００５９】
加えて、第二迂回路５を通る薬粉は、第二迂回路５が径方向に沿った道のりに対して迂回するように延在するため、この迂回する長さだけ、排出路と接触する時間が長くなる。即ち、第二迂回路５で迂回した分だけ、薬粉を排出路に対して余分に長く接触させることで、当該薬粉を更に効率的に微粒化させることができる。
【００６０】
こうして患者の口内には、主路１、分岐部２、分流路３、第一迂回路４、第二迂回路５及び導入孔６を経路とする排出路を経て微粒化された薬粉がマウスピース130の吸引孔131を通して吸入される。
【００６１】
本形態によれば、薬粉を排出するための排出路の一部であって、軸線Ｏに沿った道のりに対して迂回するように延在する迂回溝113aを設けたことで、この迂回分だけ、薬粉が排出路と接触する時間を長く確保することができる。即ち、迂回溝113aでの迂回分だけ、薬粉を排出路に対して余分に長く接触させることで、当該薬粉を効率的に微粒化させることができる。
【００６２】
しかも、その迂回溝113aは、ブロック体110の内部ではなく、ブロック体110の外周面に設けられるため、ブロック体110の大きさを変更することなく、排出路を効率的に延長することができる。即ち、迂回溝113aをブロック体110の外周面に設けたことで排出路が延長されても、吸引式投薬器が大型化することはない。
【００６３】
従って、吸引式投薬器100によれば、投薬器の大型化を招くことなく、排出路との接触により薬粉を効率的に微粉化させることができる。
【００６４】
また、本形態では、ブロック体110の周りに間隔を空けて複数の迂回溝113aを配置すると共に、このブロック体110の内部に、薬粉を排出するための排出路の一部であって、収納室Rcから薬粉を取り出すための主路１と、この主路１を複数に分岐させるための分岐部２と、この分岐部２から各々の迂回溝113aに薬粉を導く複数の分流路３とを形成したことで、この分流路３が排出路の一部となると共に、主路１からの薬粉の流れが分岐部２で変わることに伴い、この分岐部２での薬粉の接触により、微粒化を更に効率的に実現することができる。
【００６５】
また、本形態の分岐部２は、主路１及び分流路３よりも内径の大きな空間を構成する分流室としてなるので、分岐部２での分散が可能となることから、微粒化を更に効率的に実現することができる。
【００６６】
更に、本形態によれば、マウスピース130と繋がるブロック体110の先端側部位の内部に、薬粉を排出するための排出路の一部であって、迂回溝113aを通り抜けた薬粉を径方向に対して迂回させるように導く第二迂回路５を形成したことで、この迂回分だけ、薬粉が排出路と接触する時間を更に長く確保することができる。即ち、第二迂回路５での迂回分だけ、薬粉を排出路に対して余分に長く接触させることで、当該薬粉を更に効率的に微粒化させることができる。
【００６７】
加えて、この場合、第二迂回路５は、迂回溝113aからの薬粉を衝突させてブロック体110の側に折り返させる第一の折り返し面5aと、この第一の折り返し面5aで折り返した薬粉を衝突させてマウスピース130の側に折り返させると共に吸込み口131に向かって導く第二の折り返し面5bとを有することで、排出路が延長されたことに起因する大型化はない。即ち、新たな迂回路５をブロック体110の先端側部位に設けたことで排出路が延長されても、投薬器100が大型化することはない。
【００６８】
従って、かかる構成によれば、ブロック体110の先端側部位の内部に第二迂回路５を形成しても、大型化を招くことなく、排出路との接触により薬粉を更に効率的に微粉化させることができる。
【００６９】
また、本形態によれば、第二迂回路５を、ブロック体１の内部をその軸線Ｏ周りの全周に亘って形成された空間としてなる分散室として構成したことで、薬粉を分散させて、微粒化を促進させることができる。従って、かかる構成によれば、薬粉を更に分散させて微粒化を図ることができる。
【００７０】
ところで、本発明によれば、迂回溝113aの出側を、中心軸線Ｏに沿って薬粉を通り抜けさせる案内形状とすることも可能である。
【００７１】
ここで、図6(a)〜(d)はそれぞれ、ミドルパーツ113の他の形態を下側から示した平面図、背面図、側面図及び斜視図である。なお、第一の形態と同一部分は、同一符号をもって、その説明を省略する。
【００７２】
本形態では、迂回溝113aの出側をマウスピース130に真直ぐ向かう軸線Ｏに沿った道のりに沿って平行に延在する直線溝となるように、一方の側面を平坦面又は湾曲面113cとする。この場合、迂回溝113aの出側を、薬粉の流れが迂回溝113aの出側で変わることに伴い、第一迂回路４の出側での薬粉の接触により、微粒化を更に効率的に実現することができる。
【００７３】
図７は、本発明の第二の形態である縦向き装填タイプの吸引式投薬器200の側面を示す断面図であり、図８は、カプセル装填時を示す断面図であり、また、図９は、同形態の分解図である。なお、他の形態と同一部分は、同一符号をもって、その説明を省略する。
【００７４】
本形態も、ブロック体110が４つのパーツで構成されるが、コアパーツ111は、その内部に、カプセルＣを縦向きにした状態で収納可能な収納室Rcを有し、穿孔用ピンD4も単一のものとする。
【００７５】
即ち、本形態は、穿孔手段Ｄをコアパーツ111に対して枢軸Ｐを基点に回動させることで開閉される点が他の形態と異なる。
【００７６】
このため、本発明によれば、こうしたカプセルの装填方法が異なる投薬器にも適用することができる。
【００７７】
上述したところは、本発明の好適な形態をしたものであるが、特許請求の範囲において、種々の変更を加えることができる。例えば、各形態に採用されている構成は適宜組み合わせて使用することができる。
【産業上の利用可能性】
【００７８】
カプセルに充填した薬粉をその破壊により取り出して患者が吸引を行う携帯性を重視した投薬器であれば、種々の投薬器に利用することができる。
【図面の簡単な説明】
【００７９】
【図１】本発明の第一の形態である横向き装填タイプの吸引式投薬器の側面図である。
【図２】同形態の断面図である。
【図３】同形態の分解図である。
【図４】同形態のカプセル装填時の状態を示す断面図である。
【図５】(a)〜(d)はそれぞれ、同形態に係るミドルパーツを下側から示した平面図、背面図、側面図及び斜視図である。
【図６】(a)〜(d)はそれぞれ、ミドルパーツの他の形態を下側から示した平面図、背面図、側面図及び斜視図である。
【図７】本発明の第二の形態である縦向き装填タイプの吸引式投薬器の側面を示す断面図である。
【図８】同形態の分解図である。
【図９】同形態のカプセル装填時の状態を示す断面図である。
【符号の説明】
【００８０】
１   主路
２   分岐部（分流室）
３   分流路
４   第一迂回路
５   第二迂回路
5a   第一の折り返し面
5b   第二の折り返し面
６   吸込み口導入孔
７   取り出し通路
100  横向き装填タイプの吸引式投薬器
110  ブロック体
111  コアパーツ
111a 蓋体
111b 逆止弁
111c 係止片
111d 爪部
112  アッパーパーツ
113  ミドルパーツ
113a 迂回溝
114  ロアパーツ
120  ボディ
121  筒状部
130  マウスピース
131  吸込み口
Ｃ   カプセル
Ｄ  破壊手段（穿孔手段）
D1  筒部
D2  キャップ
D3  押しボタン
D4  穿孔用ピン
Ｈ  薬粉受け用凹部
ｎ  貫通孔
na  外気導入路
Rc   収納室
R1   薬粉堆積室
【図１】
2008295687.tif 000003
【図２】
2008295687.tif 000004
【図３】
2008295687.tif 000005
【図４】
2008295687.tif 000006
【図５】
2008295687.tif 000007
【図６】
2008295687.tif 000008
【図７】
2008295687.tif 000009
【図８】
2008295687.tif 000010
【図９】
2008295687.tif 000011